(57)【特許請求の範囲】
【請求項１】
装着されたカメラボディから絞り値の情報を取得する絞り値情報取得部と、
絞り開放径を規定し、前記絞り開放径が変化する開放径形成部材と、
前記絞り開放径よりも大きい開口径の絞り駆動開始位置から、前記絞り開放径よりも小さい開口径の、前記絞り値情報取得部より取得された前記絞り値を達成する絞り位置まで駆動される絞り部材と、
前記絞り部材を駆動する絞り駆動部と、を備え、
前記絞り開放径よりも大きい範囲内において、前記絞り開放径が小さくなると、前記絞り駆動開始位置での前記絞り部材の前記開口径が小さくなること、
を特徴とするレンズ鏡筒。
【請求項２】
請求項１に記載のレンズ鏡筒であって、
前記レンズ鏡筒は被写体の像を形成する焦点距離が可変である光学系を有し、
前記開放径形成部材によって規定される前記絞り開放径は、前記光学系の焦点距離に応じて変化すること、
を特徴とするレンズ鏡筒。
【請求項３】
請求項２項に記載のレンズ鏡筒であって、
前記絞り駆動開始位置は、前記光学系の焦点距離に応じて変更されること、
を特徴とするレンズ鏡筒。
【請求項４】
装着されたカメラボディから絞り値の情報を取得する絞り値情報取得部と、
絞り開放径を規定し、前記絞り開放径が変化する開放径形成部材と、
前記絞り開放径よりも大きい開口径の絞り駆動開始位置から、前記絞り開放径よりも小さい開口径の、前記絞り値情報取得部より取得された前記絞り値を達成する絞り位置まで駆動される絞り部材と、
前記絞り部材を駆動する絞り駆動部と、を備えるレンズ鏡筒に対して、
前記絞り開放径よりも大きい範囲内において、前記絞り開放径が小さくなると、前記絞り駆動開始位置での前記絞り部材の前記開口径が小さくなるように指示すること、
を特徴とするカメラボディ。
【請求項５】
装着されたカメラボディから絞り値の情報を取得する絞り値情報取得部と、
絞り開放径を規定し、前記絞り開放径が変化する開放径形成部材と、
前記絞り開放径よりも大きい開口径の絞り駆動開始位置から、前記絞り開放径よりも小さい開口径の、前記絞り値情報取得部より取得された前記絞り値を達成する絞り位置まで駆動される絞り部材と、
前記絞り部材を駆動する絞り駆動部と、を備えるレンズ鏡筒に対して、
前記絞り開放径よりも大きい範囲内において、前記絞り開放径が小さくなると、前記絞り駆動開始位置での前記絞り部材の前記開口径が小さくなると、前記絞り駆動開始位置での前記絞り部材の前記開口径が小さくなるように指示するステップをカメラボディの制御部に実行させるためのプログラム。
【発明の詳細な説明】
【技術分野】
【０００１】
本発明は、レンズ鏡筒、カメラボディ及びプログラムに関するものである。
【背景技術】
【０００２】
従来、小絞りまで絞り込み可能な主絞りと、ズーム操作に連動して各焦点距離で開放口径を決定する副絞りが設けられている絞り装置を備えるレンズ鏡筒がある（特許文献１参照）。
このような絞り装置で主絞り羽根は、駆動開始径を形成する位置から、設定された小絞り位置まで駆動される。
【先行技術文献】
【特許文献】
【０００３】
【特許文献１】特開２００１−８３５６５号公報
【発明の概要】
【発明が解決しようとする課題】
【０００４】
しかし、上記従来技術では、主絞りの駆動開始径は一定である。そして、主絞りは、撮影の度に駆動開始径から小絞り位置まで駆動される。このため、例えば高速連写になると、主絞り駆動時間により、高速連写速度が制限されてしまう等の問題があった。
【０００５】
本発明の課題は、絞り駆動時間の短縮が可能なレンズ鏡筒、カメラボディ及びプログラムを提供することである。
【課題を解決するための手段】
【０００６】
本発明は、以下のような解決手段により前記課題を解決する。
本発明の一実施形態は、装着されたカメラボディから絞り値の情報を取得する絞り値情報取得部と、絞り開放径を規定する開放径形成部材と、前記絞り開放径よりも外径側の絞り駆動開始位置から、前記絞り開放径の内径側の、前記絞り値情報取得部より取得された前記絞り値を達成する絞り位置まで駆動される絞り部材と、前記絞り部材を、前記絞り駆動開始位置から、前記絞り位置まで駆動する絞り駆動部と、を備え、前記絞り駆動開始位置は、前記絞り開放径の変化に応じて、前記絞り開放径よりも外径側の範囲内において、前記絞り駆動開始位置から前記絞り位置までの駆動時間を短縮するように変更されること、を特徴とするレンズ鏡筒である。
本発明の他の実施形態は、装着されたカメラボディから絞り値の情報を取得する絞り値情報取得部と、絞り開放径を規定する開放径形成部材と、前記絞り開放径よりも外径側の絞り駆動開始位置から、前記絞り開放径の内径側の、前記絞り値情報取得部より取得された前記絞り値を達成する絞り位置まで駆動される絞り部材と、前記絞り部材を、前記絞り駆動開始位置から、前記絞り位置まで駆動する絞り駆動部と、を備えるレンズ鏡筒に対して、前記絞り駆動開始位置を、前記絞り開放径の変化に応じて、前記絞り開放径よりも外径側の範囲内において、前記絞り駆動開始位置から前記絞り位置までの駆動時間を短縮するように変更するように指示すること、を特徴とするカメラボディである。
本発明の他の実施形態は、装着されたカメラボディから絞り値の情報を取得する絞り値情報取得部と、絞り開放径を規定する開放径形成部材と、前記絞り開放径よりも外径側の絞り駆動開始位置から、前記絞り開放径の内径側の、前記絞り値情報取得部より取得された前記絞り値を達成する絞り位置まで駆動される絞り部材と、前記絞り部材を、前記絞り駆動開始位置から、前記絞り位置まで駆動する絞り駆動部と、を備えるレンズ鏡筒に対して、前記絞り駆動開始位置を、前記絞り開放径の変化に応じて、前記絞り開放径よりも外径側の範囲内において、前記絞り駆動開始位置から前記絞り位置までの駆動時間を短縮するように変更するように指示するステップをカメラボディの制御部に実行させるためのプログラムである。
【図面の簡単な説明】
【０００７】
【図１】本発明の一実施形態の絞り装置を備えるレンズ鏡筒及びそのレンズ鏡筒が取り付けられたカメラボディの概略図である。
【図２】テレ端の状態におけるレンズ鏡筒の部分拡大図である。
【図３】５コマ／秒の連写速度の場合の絞りユニットの駆動を説明するグラフである。
【図４】１０コマ／秒の連写速度の場合の絞りユニットの駆動を説明するグラフである。
【図５】レンズ鏡筒の部分断面図であるが、５コマ／秒でＴｍ２のときの主絞り羽根と副絞り羽根の開放位置関係を示す。
【図６】レンズ鏡筒の部分断面図であるが、１０コマ／秒でＴｍ２のときの主絞り羽根と副絞り羽根の開放位置関係を示す。
【発明を実施するための形態】
【０００８】
以下、図面等を参照して、本発明の実施形態について説明する。
図１は本発明の一実施形態の絞り装置１００を備えるレンズ鏡筒２００及びそのレンズ鏡筒２００が着脱可能なカメラボディ３００の概略図である。
【０００９】
（カメラボディ）
カメラボディ３００は、被写体の光学像を電気信号に変換する撮像部３０２と、カメラボディ３００全体を制御するカメラ制御部３０４と、撮影を開始するレリーズスイッチ３０５とを有する。
カメラボディ３００は連写が可能で、連写速度を選択可能な設定部３０３を備える。本実施形態において撮影者は、設定部３０３より、例えば５コマ／秒の連写と１０コマ／秒の連写とのいずれかを選択することができる。
また、設定部３０３は、撮影時の絞り値も設定可能であり、撮影者は、設定部３０３を介して任意の絞り値を選択することができる。
【００１０】
（レンズ鏡筒）
レンズ鏡筒２００は、撮影用レンズ（ズームレンズ２０１のみ示す）と、レンズ鏡筒２００の絞り径を調整する絞り装置１００と、レンズ鏡筒２００の焦点距離を測定するエンコーダ２０２と、焦点距離ごとの絞り径制御データを持つメモリ２０３と、レンズ鏡筒２００全体を制御するレンズ制御部２０４と、を備え、カメラボディ３００に対して着脱可能となっている。
【００１１】
図２は、テレ端の状態のレンズ鏡筒２００の部分拡大図である。図示するようにレンズ鏡筒２００は、上述した各部材のほかに、外側固定環２１０と、ズーム操作環２１１と、連動部材２１２と、カム環２１３と、内側固定環２１４とを備える。
【００１２】
外側固定環２１０は、撮影用レンズの支持や全体構造の基準となる筒体である。
外側固定環２１０には、ズーム操作環２１１が、光軸ＯＡを中心として回転可能に配置されている。
ズーム操作環２１１は、変倍動作（ズーミング）の際に、撮影者によって回転されるものである。ズーム操作環２１１の外周面には滑り止めのゴム層２１１ａが設けられている。
ズーム操作環２１１には、連動部材２１２の一端が固定されている。
【００１３】
連動部材２１２の他端は、ズーム操作環２１１の内径側に配置されたカム環２１３に連結されている。
ズーム操作環２１１が回転すると、連動部材２１２によって回転が伝達されてカム環２１３も共に回転する。
カム環２１３には、後述のカムローラ２１６が係合するカム溝２１３ａが設けられている。
【００１４】
カム環２１３の内側には内側固定環２１４が配置されている。
内側固定環２１４には、直進溝２１４ａと、副絞りカム溝２１４ｂとが設けられている。
直進溝２１４ａは、ズームレンズ２０１の回転を規制する。副絞りカム溝２１４ｂは、副絞り羽根１２２の開放径を所定量変化させるために、後述する副絞り側回転部材１２１に設けられた突起部１２１ａと係合する。
【００１５】
内側固定環２１４の内径側には、ズームレンズ２０１と、ズームレンズ２０１を保持するレンズ保持枠２１７と、絞り装置１００が配置されている。
【００１６】
レンズ保持枠２１７と、絞り装置１００とは、連結部材２１８で連結されている。
連結部材２１８は、外周に上述のカムローラ２１６が取り付けられている。カムローラ２１６は、カム溝２１３ａと直進溝２１４ａとに係合する。
【００１７】
（絞り装置）
絞り装置１００は、開放絞り口径内で絞り口径を可変設定する主絞り機構１１０と、開放絞り口径を可変設定する副絞り機構１２０とがユニット化されたものである。
【００１８】
（主絞り機構）
主絞り機構１１０は、ステッピングモータ１３０を駆動源とし、主絞り羽根１１２の基準位置検出用ＰＩ１３１と、２個のダボが一体の７枚の主絞り羽根１１２とを備える。
また、主絞り機構１１０は、一方のダボが係合する７個の穴を有し、光軸ＯＡを中心として回転する主絞り側回転部材１１１を備える。
さらに、主絞り機構１１０は、他方のダボが係合する７個のカム溝２１３ａを有し、レンズ鏡筒２００に固定されている固定部材１２３を備える。
【００１９】
主絞り羽根１１２は、薄板状部材で形成され、一辺が略直線で、円周方向に湾曲した略三角形状を有している。
ステッピングモータ１３０は、押さえ板１１４を介して固定部材１２３に固定されている。
また、ステッピングモータ１３０の出力ギヤは主絞り側回転部材１１１と結合されている。ステッピングモータ１３０を駆動源として主絞り側回転部材１１１が回転駆動されることにより主絞り羽根１１２が開閉し、副絞り羽根１２２によって形成された開放絞り径（副絞り径）以下の範囲内で所定の絞り径（主絞り径）を形成する。
【００２０】
同様に押さえ板１１４には、フォトインタラプタ（以下、ＰＩという）１３１が取り付けられ、一方、そのＰＩ１３１の検出部の間を、主絞り側回転部材１１１から延びる遮光板１１１ａが通過することで、主絞り羽根１１２の基準位置が検出される。
なお、ステッピングモータ１３０及びＰＩ１３１は図示しないＦＰＣに接続され、外部から信号及び電力が供給される。
【００２１】
エンコーダ２０２は、ズームレンズ２０１の位置をより焦点距離を検出する。エンコーダ２０２により測定されたレンズ鏡筒２００の焦点距離情報は、レンズ制御部２０４に送信される。
メモリ２０３は、焦点距離情報を焦点距離ごとの主絞り羽根１１２の絞り径制御データを有する。
レンズ制御部２０４は、メモリ２０３に記憶されている絞り径制御データと、焦点距離情報を照合する。
そしてレンズ制御部２０４は、レンズ鏡筒２００の焦点距離に対応した主絞り羽根の絞り径制御データに基づき、撮影者により設定された絞り値、又は、カメラ制御部３０４により自動的に設定された絞り値に対応してステッピングモータ１３０を介して主絞り羽根１１２を駆動する。
【００２２】
（副絞り機構）
副絞り機構１２０は、ズーム操作環２１１と連動し焦点距離に応じた開放径を形成する。
副絞り機構１２０は、２個のダボが一体の７枚の副絞り羽根１２２と、一方のダボが係合する７個の穴を有する固定部材１２３を備える。さらに副絞り機構１２０は、他方のダボが係合する７個のカム溝２１３ａを有するとともに、光軸ＯＡ中心に回転する外周部に突起部１２１ａを有する副絞り側回転部材１２１とを備える。なお、固定部材１２３は主絞り機構１１０と共通である。
【００２３】
ズーム操作環２１１をテレ側からワイド側へ回転させると、連動部材２１２が回転する。
そうすると、連動部材２１２と係合しているカム環２１３が回転し、カム環２１３のカム溝２１３ａと内側固定環２１４の直進溝２１４ａに係合しているカムローラ２１６が固定されている連結部材２１８が直進移動する。
連結部材２１８と一体の移動を行う副絞り機構１２０の副絞り側回転部材１２１の突起部１２１ａが内側固定環２１４の直進溝２１４ａと係合しているので、副絞り機構１２０が直進移動することで副絞り側回転部材１２１を回転させ開放径を小さい方に変化させる。
【００２４】
（レンズ制御部）
レンズ制御部２０４は、カメラボディ３００の設定部３０３を介して連写が設定されると、カメラ制御部３０４を介して、設定された連写のコマ速情報を受信する。
また、レンズ制御部２０４は、ズーム操作環２１１の回転により駆動されたズームレンズ２０１の焦点距離情報をエンコーダ２０２より受信する。
【００２５】
レンズ制御部２０４は、受信したコマ速情報に対応した絞り径制御データをメモリ２０３より読み出し、このコマ速及び焦点距離に応じて、ステッピングモータ１３０によって、絞り装置１００の主絞り羽根１１２の駆動を制御する。
【００２６】
（絞り装置の制御）
次に、本実施形態の絞り装置１００（電磁絞り）の制御について説明する。
図３は、連写速度が５コマ／秒の場合の絞り装置１００の駆動を説明するグラフである。図４は、連写速度が１０コマ／秒の場合の絞り装置１００の駆動を説明するグラフである。
【００２７】
図３及び図４において、横軸はレンズ鏡筒２００の焦点距離を示す。ｆｔは焦点距離がテレ端、ｆｗは焦点距離がワイド端、その間のｆｍ１〜ｆｍ３は、焦点距離がテレ端とワイド端の間の中間にある場合である。テレ側からｆｍ１、ｆｍ２、ｆｍ３の順になっている。縦軸は、主絞り機構１１０及び副絞り機構１２０の径の大きさを示す。
【００２８】
１）副絞り径（開放径）
図３及び図４中の二点鎖線ＡＬは、各焦点距離において副絞り羽根１２２によって形成される副絞り径を示す。
φｓｔは、焦点距離がテレ端のときの副絞り径である。
φｓｍ１〜φｓｍ３は、焦点距離がテレ端とワイド端との間のミドル時の副絞り径であり、テレ側からφｓｍ１、φｓｍ２、φｓｍ３ある。
φｓｗは、焦点距離がワイド端のときの副絞り径である。
【００２９】
２）主絞り最少絞り径
図３及び図４中の一点鎖線は、各焦点距離において主絞り羽根１１２によって形成される最小絞り径を示す。
φｅｔｓは、焦点距離がテレ端のときの主絞り羽根１１２によって形成される最小絞り径である。
φｅｍ１ｓ〜φｅｍｓ３は、焦点距離がテレ端とワイド端との間のミドル時のときの主絞り羽根１１２によって形成される最小絞り径である。
φｅｗｓは、焦点距離がワイド端のときの主絞り羽根１１２によって形成される主最小絞り径である。
【００３０】
３）主絞り駆動開始径
実線ＥＡＬは主絞り羽根１１２の駆動開始径の駆動線を示す。駆動開始径は、絞り自体の開放径を形成する副絞り羽根１２２によって形成される径よりも開いている。主絞り羽根１１２は、撮影ごとに、この駆動開始径から駆動を開始し、副絞り羽根１２２によって形成される径を通過し、設定された絞り径まで駆動される。
【００３１】
図３の５コマ／秒の場合、主絞り羽根１１２の駆動開始径は、レンズ鏡筒２００がテレ端であるかワイド端であるかにかかわらず、φｅｔｗで一定である。
一方、図４の１０コマ／秒の場合、主絞り羽根１１２の駆動開始径は、レンズ鏡筒２００がテレ端である場合は、５コマと同様にφｅｔｗである。
しかし、レンズ鏡筒２００の焦点距離がワイド端に移動し、所定の位置（図中焦点距離ｆｍｃの位置）になると、主絞り羽根１１２の駆動開始径は減少し始める。
本実施形態では、焦点距離ｆｍｃからｆｗ（ワイド端）になるまでφｅｔｗからφｅｔｗ’まで線形に減少する。
【００３２】
４）絞り込み時間
ここで、主絞り羽根１１２は、撮影の度に、実線で示す駆動開始径から、設定された絞り径まで変化する。そのときの駆動にかかる最大絞り込み時間を図中Ｔで示す。
【００３３】
図３に示す連写速度５コマ／秒の場合、Ｔｔは、レンズ鏡筒２００がテレ端のときの最小絞りまでの絞り込み時間である。このときの副絞り羽根１２２と、開放状態の主絞り羽根１１２の状態を図２に示す（主絞り羽根１１２（Ａ）と副絞り羽根１２２（Ａ）の状態）。
【００３４】
図３に示す連写速度５コマ／秒の場合、Ｔｗは、レンズがワイド端のときの絞り込み時間であり、Ｔｍ１〜Ｔｍ３は、レンズがテレ端とミドル端の間の場合の絞り込み時間であり、テレ側からＴｍ１、Ｔｍ２、Ｔｍ３である。
Ｔｍ２のときの主絞り羽根１１２と副絞り羽根１２２の開放位置関係は図３に示す主絞り羽根１１２（Ｂ）と副絞り羽根１２２（Ｂ）の状態である。
また、図５は、図２と同様のレンズ鏡筒の部分断面図であるが、５コマでＴｍ２のときの主絞り羽根１１２と副絞り羽根１２２の開放位置関係である主絞り羽根１１２（Ｂ）と副絞り羽根１２２（Ｂ）の状態を示す。
【００３５】
図示するように、主絞り機構１１０の最小絞り径は、レンズ鏡筒２００の焦点距離がテレからワイドに変化するのに従い、副絞り機構１２０で形成する開放径と同様に小さくなる。
しかし、５コマでは、主絞り機構１１０の駆動開始径は一定のφｅｔｗである。
このため、レンズ鏡筒２００がテレからワイドになるに従い、絞り込量が多くなり、絞り込み時間ＴはＴｔ＜Ｔｍ１＜Ｔｍ２＜Ｔｍ３＜Ｔｗと長くなる。
【００３６】
（コマ速との関連）
ここで、カメラボディ３００が、設定されたコマ速度１０コマ／秒を達成するために、絞り込み時間として使用できる時間をＴｍｃとすると、５コマ／時の場合に絞り込み時間として使用できる時間は、Ｔｍｃの２倍である。
【００３７】
図３に示すように、絞り込みは、一定値である主絞り機構１１０の駆動開始径φｅｔｔから開始して設定された絞り径まで絞られる。
このとき、最長時間はレンズがワイドのときのＴｗである。
しかし、２Ｔｍｃ＞Ｔｗなので開放時は電磁絞り径はテレ状態のままで仕様を達成できる。
【００３８】
しかし、図４に示すように、焦点距離が、テレ端のｆｔから、テレ端とワイド端との間のテレ端よりである絞り込み時間がＴｍｃになるｆｍｃまでは、一定値である主絞りの駆動開始径φｅｔｔから開始して設定された絞り径まで絞られる。
しかし、焦点距離がｆｍｃからｆｗへと開放側になり、駆動開始径をφｅｔｔからにすると、絞り込み時間がＴｍｃ以上になる場合、駆動開始径φｅｔは、縮小される。
【００３９】
そして、主絞りの駆動開始径は、Ｔｍｃを確保するような電磁絞り径位置へ駆動される。この時間はＴｍｃと同じかそれよりも短い。但し、開放径光束径よりも大きい。
ｆｍ２のときの主絞り羽根１１２と副絞り羽根１２２の開放位置関係は図４に示す主絞り羽根１１２（Ｃ）と副絞り羽根１２２（Ｃ）の状態である。
また、図６は、図２と同様のレンズ鏡筒の部分断面図であるが、１０コマでＴｍ２のときの主絞り羽根１１２と副絞り羽根１２２の開放位置関係である主絞り羽根１１２（Ｃ）と副絞り羽根１２２（Ｃ）の状態を示す。
【００４０】
以上、本実施形態によると、以下の効果を有する。
（１）絞り駆動開始位置は、絞り開放径の変化に応じて、絞り開放径よりも外径側の範囲内において、絞り部材（主絞り羽根１１２）の絞り駆動開始位置から絞り位置までの駆動時間を短縮するように変更される。したがって、例えば高速連写の場合でも、絞り部材（主絞り羽根１１２）の駆動時間により、高速連写速度が制限されてしまう可能性が低減する。
そして、コマ速データとズームの焦点距離データから開放時の電磁絞り駆動の必要性の有無を判断し、必要と判断した場合は適切な位置まで駆動することで仕様の達成を行うことができる。
【００４１】
（２）開放径形成部材（副絞り羽根１２２）によって規定される絞り開放径は、焦点距離に応じて変化する。本実施形態の絞り部材（主絞り羽根１１２）は、絞り開放径の変化、すなわち焦点距離に応じて変更される。
（３）カメラボディ３００より連写速度情報を取得する連写速度情報取得部（レンズ制御部）２０４を備え、絞り駆動開始位置は、連写速度情報取得部より取得された連写速度情報に基づき変更される。したがって、連写速度に支障がない場合は絞り駆動開始位置の変更を行わないことを選択可能なので、不要な電力消費を抑えることができる。
【００４２】
（変形形態）
以上、説明した実施形態に限定されることなく、以下に示すような種々の変形や変更が可能であり、それらも本発明の範囲内である。
なお、実施形態は、適宜組み合わせて用いることもできるが、詳細な説明は省略する。また、本発明は以上説明した実施形態によって限定されることはない。
【符号の説明】
【００４３】
１００：絞り装置、１１０：主絞り機構、１１１：主絞り側回転部材、１１１ａ：遮光板、１１２：主絞り羽根、１１４：押さえ板、１２０：副絞り機構、１２１：副絞り側回転部材、１２１ａ：突起部、１２２：副絞り羽根、１２３：固定部材、１３０：ステッピングモータ、２００：レンズ鏡筒、２０１：ズームレンズ、２０２：エンコーダ、２０３：メモリ、２０４：レンズ制御部、３００：カメラボディ、３０２：撮像部、３０３：設定部、３０４：カメラ制御部
【図１】
0006759549.tif 000002
【図２】
0006759549.tif 000003
【図３】
0006759549.tif 000004
【図４】
0006759549.tif 000005
【図５】
0006759549.tif 000006
【図６】
0006759549.tif 000007